(57)【要約】【課題】ＯＳＤなどの表示を消去する手間を省き、表示をしても映像部分を隠さず、視聴者に邪魔とならないようＯＳＤなどを表示可能とさせる映像出力装置を提供する。【解決手段】テレビジョン放送信号を受信する受信手段１０３と、文字列画像の画像データ又は記憶媒体の文字列画像の画像データを取得する取得手段１０７と、ＯＳＤ画像を生成するＯＳＤ画像生成手段１０８と、指示の受付手段１１０と、文字列画像の第１の表示位置及びＯＳＤ画像の第２の表示位置を決定する位置決定手段１１１と、映像の第３の表示位置が、第１及び第２の表示位置のうち少なくとも一方と重ならないよう、第３の表示位置を変更する又は映像サイズを変更する変更手段１１２と、表示位置の決定された文字列画像及びＯＳＤ画像のうち少なくとも一方と、第３の表示位置又はサイズが変更された映像とを合成させる合成手段１１３と、合成された映像を出力する出力手段１１４とを備える。【選択図】図１
2007243841.tif 000002
【特許請求の範囲】
【請求項１】
外部からのチャンネル選局指示情報に基づいて選局したチャンネルのテレビジョン放送信号を受信する受信手段と、
受信された前記テレビジョン放送信号に付加され、表示手段に表示させる文字列画像の画像データを取得する、又は所定の記憶媒体に記録されたコンテンツデータと共に格納され、格納されたコンテンツの内容に関連した情報である前記表示手段に表示させる文字列画像の画像データを前記所定の記憶媒体から取得する取得手段と、
前記表示手段に表示され、前記表示手段において表示される文字列画像であるＯＳＤ画像を生成するＯＳＤ画像生成手段と、
外部からの指示を受け付け、前記指示に応じた外部指示信号を出力する受付手段と、
取得された前記画像データによる文字列画像の前記表示手段における表示位置である第１の表示位置及び生成された前記ＯＳＤ画像の前記表示手段における表示位置である第２の表示位置を、前記受付手段から供給される前記外部指示信号に基づいて決定する位置決定手段と、
前記テレビジョン放送信号に含まれる映像信号による映像の前記表示手段における表示位置である第３の表示位置が、前記第１の表示位置及び前記第２の表示位置のうち少なくとも一方の表示位置と重ならないように、前記第３の表示位置を通常の所定表示位置から変更する、若しくは前記映像の映像サイズを変更する変更手段と、
表示位置の決定された前記文字列画像及び前記ＯＳＤ画像のうち少なくとも一方の画像と、前記第３の表示位置又は前記映像サイズが変更された前記映像とを合成させる合成手段と、
合成された前記映像と前記文字列画像又は生成された前記ＯＳＤ画像とからなる映像を前記表示手段に出力する出力手段とを、
備える映像出力装置。
【発明の詳細な説明】
【技術分野】
【０００１】
本発明は、テレビなどのモニタへＯＳＤ表示や字幕表示を行う映像出力装置に関する。
【背景技術】
【０００２】
従来から、ＯＳＤ（On Screen Display）や字幕などは、放送局から送信される映像又は映像情報が記録されたメディアを再生するプレーヤによる再生映像に重ねてモニタなどに表示されていた。具体的な例を図８、図９に示す。図８はＯＳＤ表示をした場合の画像を示し、図９は字幕表示をした場合の画像を示している。図８の場合には、ＯＳＤ表示部分８０１が映像部分８０２の上に重なって表示されているため、ＯＳＤ表示で隠れた部分の映像が見えなくなっている。また、図９の場合には、図８の場合と同様、字幕表示部分９０１が映像部分９０２の上に重なって表示されているため、字幕表示で隠れた部分の映像が見えなくなっている。特に、現在の地上波、ＢＳデジタル放送の字幕は字幕表示部分の下地部分が黒色であるために視聴者に邪魔であるという感覚を生じさせてしまう。
【０００３】
このような場合、従来の方法では、放送局側が番組を送信する際に挿入している臨時ニュース、時刻、天気予報などの文字情報がＯＳＤなどに重なると、ＯＳＤなどの表示をその都度視聴者がリモコンなどによって消去させる必要があった。そのような手間を省くため、重ねて表示されないように処理をする技術が下記の特許文献１に記載されている。特許文献１に記載されている技術は、放送局側が番組を送信する際に挿入している臨時ニュース、時刻、天気予報などの文字情報に重ならないようにＯＳＤ表示を行っている。
【特許文献１】特開２００４−２９７６７６号公報（要約、段落０００６）
【発明の開示】
【発明が解決しようとする課題】
【０００４】
しかしながら、特許文献１に記載された技術は、ＯＳＤなどの表示位置を移動させるものであり、移動させた位置にも映像は存在し、映像が隠れる部分は存在する。これは、映像に重ねてＯＳＤなどを表示させているためで、どの位置にＯＳＤなどを表示させても見えない部分は存在する。よって、視聴者にＯＳＤなどの表示が邪魔であると感じさせないように常時ＯＳＤなどを表示させることは困難であった。
【０００５】
本発明は、上記問題を解決するためのものであり、ＯＳＤなどの表示を消去する手間を省き、ＯＳＤなどの表示をさせても映像部分を隠すことなく、視聴者に邪魔であると感じさせずにＯＳＤなどを表示させることができる映像出力装置を提供することを目的とする。
【課題を解決するための手段】
【０００６】
上記目的を達成するために、本発明によれば、外部からのチャンネル選局指示情報に基づいて選局したチャンネルのテレビジョン放送信号を受信する受信手段と、受信された前記テレビジョン放送信号に付加され、表示手段に表示させる文字列画像の画像データを取得する、又は所定の記憶媒体に記録されたコンテンツデータと共に格納され、格納されたコンテンツの内容に関連した情報である前記表示手段に表示させる文字列画像の画像データを前記所定の記憶媒体から取得する取得手段と、前記表示手段に表示され、前記表示手段において表示される文字列画像であるＯＳＤ（On Screen Display）画像を生成するＯＳＤ画像生成手段と、外部からの指示を受け付け、前記指示に応じた外部指示信号を出力する受付手段と、取得された前記画像データによる文字列画像の前記表示手段における表示位置である第１の表示位置及び生成された前記ＯＳＤ画像の前記表示手段における表示位置である第２の表示位置を、前記受付手段から供給される前記外部指示信号に基づいて決定する位置決定手段と、前記テレビジョン放送信号に含まれる映像信号による映像の前記表示手段における表示位置である第３の表示位置が、前記第１の表示位置及び前記第２の表示位置のうち少なくとも一方の表示位置と重ならないように、前記第３の表示位置を通常の所定表示位置から変更する、若しくは前記映像の映像サイズを変更する変更手段と、表示位置の決定された前記文字列画像及び前記ＯＳＤ画像のうち少なくとも一方の画像と、前記第３の表示位置又は前記映像サイズが変更された前記映像とを合成させる合成手段と、合成された前記映像と前記文字列画像又は生成された前記ＯＳＤ画像とからなる映像を前記表示手段に出力する出力手段とを備える映像出力装置が提供される。この構成により、ＯＳＤなどの表示を消去する手間を省き、ＯＳＤなどの表示をさせても映像部分を隠すことなく、視聴者に邪魔であると感じさせずにＯＳＤなどを表示させることができる。なお、テレビジョン放送信号に付加された文字列画像は、例えばテレビジョン放送信号によって特定される放送番組の内容の理解を助けるために表示手段に表示される字幕画像だけでなく、地震などが発生した緊急時に地震情報などをテロップとして表示手段に表示させるテロップ画像などであってもよい。また、通常の所定表示位置とは、表示手段の画面の大きさに応じて表示される映像をユーザが的確に把握できるように決められた映像の表示位置を言う。
【発明の効果】
【０００７】
本発明の映像出力装置は、上記構成を有し、ＯＳＤなどの表示を消去する手間を省き、ＯＳＤなどの表示をさせても映像部分を隠すことなく、視聴者に邪魔であると感じさせずにＯＳＤなどを表示させることができる。
【発明を実施するための最良の形態】
【０００８】
以下、本発明の実施の形態に係る映像出力装置について図１から図７を用いて説明する。図１は本発明の実施の形態に係る映像出力装置の構成を示す構成図である。図２は本発明の実施の形態に係る映像出力装置におけるＯＳＤ表示の一例を示す図である。図３は本発明の実施の形態に係る映像出力装置における字幕表示の一例を示す図である。図４は本発明の実施の形態に係る映像出力装置における映像の縦方向のみを縮小させて表示させたＯＳＤ表示の一例を示す図である。図５は本発明の実施の形態に係る映像出力装置における映像の横方向のみを縮小させて表示させたＯＳＤ表示の一例を示す図である。図６は本発明の実施の形態に係る映像出力装置における映像を下方向に移動させて表示させたＯＳＤ表示の一例を示す図である。図７は本発明の実施の形態に係る映像出力装置における映像を上方向に移動させて表示させたＯＳＤ表示の一例を示す図である。
【０００９】
以下では、本発明の実施の形態に係る映像出力装置について図１を用いて説明する。図１に示すように、映像出力装置は、アンテナ１０１、チューナー（受信手段）１０３、デコーダ１０４、映像出力セレクタ１０５、字幕データのセレクタ１０６、字幕デコーダ（取得手段）１０７、ＯＳＤ生成部（ＯＳＤ画像生成手段）１０８、リモコン受信部（受付手段）１１０、ＯＳＤ・字幕位置指定部（位置決定手段）１１１、画像サイズ変更部（変更手段）１１２、映像・ＯＳＤ合成部（合成手段）１１３、映像出力部（出力手段）１１４から構成されている。通常はアンテナ１０１を介して入力された電波はチューナー１０３で受けられ、画像サイズ変更部１１２、映像・ＯＳＤ合成部１１３を通過して映像出力部１１４に送られて、映像出力装置の構成要素の不図示のモニタ又は映像出力装置の構成要素ではない外部の表示機器（モニタなど）で映像表示される。なお、具体的にチューナー１０３は、あらかじめ映像出力装置のユーザによって図１に示すリモコン１０９などを介して入力された、所望のチャンネルの情報であるチャンネル選局指示情報に基づいて選局したチャンネルのテレビジョン放送信号を受信する。
【００１０】
また、映像情報などが記録されたディスク１０２などのメディアを再生した場合も同様で、デコーダ１０４から画像サイズ変更部１１２、映像・ＯＳＤ合成部１１３を通過して映像出力部１１４に送られて、映像出力装置の構成要素の不図示のモニタ又は映像出力装置の構成要素ではない外部の表示機器（モニタなど）で映像表示される。ユーザはリモコン１０９を用いてＯＳＤや字幕の表示命令を行い、表示命令を受けたリモコン受信部１１０がその命令をＯＳＤ・字幕表示位置指定部１１１に伝える。なお、ここでの字幕のデータとは、放送番組中の登場人物の台詞や放送番組に関する説明文章などのデータに限られず、上述した臨時ニュース、時刻、天気予報などの文字データであってもよい。
【００１１】
字幕デコーダ１０７は、アンテナ１０１を介して受信した放送番組に含まれる字幕データや、ディスク１０２などのメディア（記録媒体）に記録されたコンテンツデータと共に格納され、格納されたコンテンツの内容に関連した情報である文字列画像の画像データを取り出す。ここで、コンテンツの内容に関連した情報である文字列画像の画像データとは、例えばコンテンツが英語などの外国語で再生される場合に、コンテンツの内容を把握するための字幕データなどを言う。
【００１２】
ＯＳＤ生成部１０８は、不図示のモニタに表示され、そのモニタにおいて表示される文字列画像であるＯＳＤ画像（操作パネル画像）の情報を生成する。ＯＳＤ画像情報（以下、ＯＳＤ情報とも言う）とは、例えばモニタにおける映像の表示位置や色合いなどを設定するときに利用される画像情報を言う。そして、それぞれ取り出された字幕データ及び作成されたＯＳＤ情報はＯＳＤ・字幕位置指定部１１１に送られる。リモコン１０９を介したユーザからの命令に基づいて、ＯＳＤ・字幕位置指定部１１１は、取得された字幕データの不図示のモニタにおける表示位置である第１の表示位置及び生成されたＯＳＤ情報（操作パネル画像）の不図示のモニタにおける表示位置である第２の表示位置を決定する。
【００１３】
そして、画像サイズ変更部１１２は、ＯＳＤ・字幕位置指定部１１１の決定に基づいて、テレビジョン放送信号に含まれる映像信号による映像の不図示のモニタにおける表示位置である第３の表示位置が、第１の表示位置及び第２の表示位置のうち少なくとも一方の表示位置と重ならないように、第３の表示位置を通常の所定表示位置から変更する、若しくは映像の映像サイズを変更する。なお、映像サイズを変更するとは、字幕データやＯＳＤ情報が表示される不図示のモニタ上の表示領域を除いた表示領域内において映像が表示されるように変更することを言い、例えば後述するように、字幕データやＯＳＤ情報が不図示のモニタの下部に表示される場合、その下部を除いた表示領域に映像を表示させるように映像の縦方向の縮尺を変更することを言う。
【００１４】
この場合、映像は通常の表示よりも押しつぶされたように表示されるが、視聴の障害とならないように縮尺を変更する。なお、後述するように、字幕データやＯＳＤ情報が不図示のモニタ上の左部又は右部に表示される場合も同様に考えられる。また、第３の表示位置を通常の所定表示位置から変更するとは、通常表示される表示位置から所定の方向に所定の距離だけ位置を変更することを言う。例えば後述するように、字幕データやＯＳＤ情報が不図示のモニタの下部に表示される場合、その下部を除いた表示領域に映像を表示させるように映像を上部に移動させる。この場合、映像の上部は字幕データやＯＳＤ情報の表示領域分だけずらさせるため、映像の上部は見えなくなる。ただし、視聴の障害にならないように映像をずらす。
【００１５】
映像・ＯＳＤ合成部１１３は、表示位置の決定された文字列画像及びＯＳＤ画像（ＯＳＤ情報）のうち少なくとも一方の画像と、第３の表示位置又は映像サイズが変更された映像とを合成させ、映像出力部１１４に送り、映像出力部１１４は映像を不図示のモニタなどに出力する。なお、ＯＳＤ・字幕位置指定部１１１により指定されるＯＳＤや字幕の表示位置（表示範囲）は、ユーザからの指示に基づいて決めるようにしてもよく、またＯＳＤや字幕の大きさや量に応じて決めるようにしてもよく、またＯＳＤや字幕の大きさや量に関係なくあらかじめ表示位置を決めておいてもよい。
【００１６】
図２は本発明によるＯＳＤ表示の映像を縮小させて表示させるＯＳＤ表示の一例を示している。この例ではＯＳＤ表示部分２０１を映像部分２０２の上部に表示させるために、映像を縮小させて表示させている。映像は従来１２８０×７６８のサイズであるが、縦横の比率は同じにして少しだけ縮小させて表示（１２００×６７５のサイズで表示）させることで、モニタ画面に対して隙間が空き、ＯＳＤが映像に重なることなく表示できる。なお、図３は図２のＯＳＤ表示部分２０１を字幕表示部分３０１に置き換え、映像部分３０２の下方に表示させたものの一例である。
【００１７】
図４、図５はそれぞれ映像の縦方向又は横方向のみを縮小させ、空いた隙間にＯＳＤを表示させるというものである。図６、図７は映像をそれぞれ下方向、左方向にずらして表示させ、空いた隙間にＯＳＤを表示させるというものである。図３から図７のＯＳＤ部分を字幕に置き換えることで、字幕表示についても同様に考えられる。
【産業上の利用可能性】
【００１８】
本発明に係る映像出力装置は、ＯＳＤなどの表示を消去する手間を省き、ＯＳＤなどの表示をさせても映像部分を隠すことなく、視聴者に邪魔であると感じさせずにＯＳＤなどを表示させることができるため、テレビなどのモニタへＯＳＤ表示や字幕表示を行う映像出力装置などに有用である。
【図面の簡単な説明】
【００１９】
【図１】本発明の実施の形態に係る映像出力装置の構成を示す構成図である。
【図２】本発明の実施の形態に係る映像出力装置におけるＯＳＤ表示の一例を示す図である。
【図３】本発明の実施の形態に係る映像出力装置における字幕表示の一例を示す図である。
【図４】本発明の実施の形態に係る映像出力装置における映像の縦方向のみを縮小させて表示させたＯＳＤ表示の一例を示す図である。
【図５】本発明の実施の形態に係る映像出力装置における映像の横方向のみを縮小させて表示させたＯＳＤ表示の一例を示す図である。
【図６】本発明の実施の形態に係る映像出力装置における映像を下方向に移動させて表示させたＯＳＤ表示の一例を示す図である。
【図７】本発明の実施の形態に係る映像出力装置における映像を上方向に移動させて表示させたＯＳＤ表示の一例を示す図である。
【図８】従来のＯＳＤ表示の一例を示す図である。
【図９】従来の字幕表示の一例を示す図である。
【符号の説明】
【００２０】
１０１  アンテナ
１０２  ディスク
１０３  チューナー（受信手段）
１０４  デコーダ
１０５  映像出力セレクタ
１０６  字幕データのセレクタ
１０７  字幕デコーダ（取得手段）
１０８  ＯＳＤ生成部（ＯＳＤ画像生成手段）
１０９  リモコン
１１０  リモコン受信部（受付手段）
１１１  ＯＳＤ・字幕位置指定部（位置決定手段）
１１２  画像サイズ変更部（変更手段）
１１３  映像・ＯＳＤ合成部（合成手段）
１１４  映像出力部（出力手段）
２０１、８０１  ＯＳＤ表示部分
２０２、３０２、８０２、９０２  映像部分
３０１、９０１  字幕表示部分
【図１】
2007243841.tif 000003
【図２】
2007243841.tif 000004
【図３】
2007243841.tif 000005
【図４】
2007243841.tif 000006
【図５】
2007243841.tif 000007
【図６】
2007243841.tif 000008
【図７】
2007243841.tif 000009
【図８】
2007243841.tif 000010
【図９】
2007243841.tif 000011